(57)【特許請求の範囲】
【請求項１】
回転刃と、当該回転刃が設けられた位置で昇降し得るように設けられたカップホルダとを有するジュースミキサーに使用され、前記カップホルダにセットされ、当該カップホルダの上昇により前記回転刃が内部に入り込み、内部に投入された材料を前記回転刃の回転により粉砕攪拌して製造するジュース用のコップであって、
前記コップは、プラスチック材料から形成され、上部が開口された有底のコップであり、胴部の壁を内側に向けて押し出し成形することにより底部から上方に向う三角柱状の突起を形成したことを特徴とするミキサー用コップ。
【請求項２】
前記コップは、底部を中央部が盛り上がっている上げ底部としたことを特徴とする請求項１に記載のミキサー用コップ。
【発明の詳細な説明】
【０００１】
本発明は、ジュースミキサー等に使用されるミキサー用コップに関する。
【０００２】
【従来の技術】
一般にジュースミキサー用コップ２１は、図６に示すように、ジュースミキサー２０と一体で使用される大型ものが用いられている。このジュースミキサー用コップ２１は、ガラスやアクリル等の透明度の高いプラスチック材料で形成されており、底部には材料を粉砕して攪拌するための回転刃２２が取り付けられている。
【０００２】
このジュースミキサー用コップ２１を使用する場合は、果物や野菜等の材料を入れて、ジュースミキサー本体２３に取り付け、ジュースミキサー本体２３の図示しないスタートボタンを押すと、ジュースミキサー本体２３のモータ２４により回転刃２２が回転して材料を粉砕して攪拌し、生ジュースができあがる。そして、この生ジュースを飲む場合は、通常の一人用の小さなコップ２５等に移し換えて飲むものである。
【０００３】
【発明が解決しようとする課題】
しかしながら、上述した従来のジュースミキサー用コップにおいては、生ジュースを作った後にジュースミキサー用コップを洗浄しなければならないが、このジュースミキサー用コップは、底部の回転刃に材料の果物や野菜の繊維屑等が取り付き、洗浄するのに手間がかかるという問題があった。
【０００４】
また、ジューススタンド等で生ジュースを作って販売する場合には、客の好みは多様なため、一回毎にジュースミキサー用コップを洗浄して他の材料を使用しなければならず、手間がかかると共に時間がかかり、客を待たせたりするので、十分な対応ができないという問題があった。
【０００５】
また、一人々々の客の要望に応えるためには異なった材料を用意する必要があり、その材料の組み合わせも考慮すると種類が非常に多くなり、その配合や量の調整が難しく、この業務を一人の販売員で対応するのが困難であり、材料にも無駄が発生するという問題があった。
【０００６】
そこで、ハンドミキサー等を使用し、通常の一人用の小さなコップの中に必要な材料を入れておき、その都度回転刃を回転させ、生ジュースを作る試みがなされたが、通常のコップの中では回転刃と一緒に材料も回転してしまい、材料の粉砕がうまくできず、うまい生ジュースが作れないという問題が生じていた。
【０００７】
本発明は、上記した従来の問題点に鑑みなされたもので、通常のコップのサイズで一人分の生ジュースの材料を入れ、そのままジュースミキサー等にかけて生ジュースを作ることのできるミキサー用コップを提供するものである。
【０００８】
【課題を解決するための手段】
上記課題を解決するため、本発明は、回転刃と、当該回転刃が設けられた位置で昇降し得るように設けられたカップホルダとを有するジュースミキサーに使用され、前記カップホルダにセットされ、当該カップホルダの上昇により前記回転刃が内部に入り込み、内部に投入された材料を前記回転刃の回転により粉砕攪拌して製造するジュース用のコップであって、前記コップは、プラスチック材料から形成され、上部が開口された有底のコップであり、胴部の壁を内側に向けて押し出し成形することにより底部から上方に向う三角柱状の突起を形成したことを特徴とする。
また、前記コップは、底部を中央部が盛り上がっている上げ底部としたことを特徴とする。
【０００９】
【発明の実施の形態】
以下、本発明に係るミキサー用コップの実施の形態を図に基づいて詳細に説明する。図１は、本発明のミキサー用コップを示す斜視図、図２は、図１のミキサー用コップの突起柱を示すＸ−Ｘ拡大断面図、図３は、図１のミキサー用コップを示す一部破断の側面図、図４は、図１のミキサー用コップの展示状態を示す正面図、図５は、図１のミキサー用コップをジュースミキサーで使用している状態を示す斜視図である。
【００１０】
本発明に係るミキサー用コップＡは、図１に示すように、透明、かつ肉薄のプラスチック材料から形成された有底のミキサー用のコップであり、サイズは通常の一人用のコップの大きさで、胴部１の壁に内側に突出する突起柱２，２，・・が形成されたものである。このミキサー用コップＡには、後述するように、キャップＢ（図４参照）が被せられるようになっている。
【００１１】
また、突起柱２，２，・・は、図２、に示すように、断面が略山形の三角柱に加工されている。この形状は、成形時に胴部１の壁をそのまま内側に押し出し成形したもので、胴部１の壁と一体に形成されたものであるから、突起柱２の部分の材料も必要がなく、成形金型も複雑にならず、好都合である。
【００１２】
また、突起柱２は、ストレートな形状だけでなく凹凸があってもよく、壁面を流れる流体に対して抵抗を与える形状のものであれば、形状を問わないものである。
【００１３】
また、図３に示すように、ミキサー用コップＡは、底面４の中央部が盛り上っている上げ底にしてある。この理由は、後述するジュースミキサーの回転刃が中央部が凹んでいる形状（図６の回転刃２２参照）なので、材料を粉砕攪拌する場合に材料が回転刃の真下に位置したときに、材料が粉砕攪拌されずに残ることを防止するものである。
【００１４】
このように構成されたミキサー用コップＡは、ジュースミキサーの回転刃で材料を粉砕して攪拌する場合に、材料は突起柱２に邪魔されて一緒に回転しないので、回転刃は効率良く材料を粉砕することができる。また、上げ底により、回転刃の真下に材料が溜まらないので、材料を均一に粉砕して攪拌することが可能となる。
【００１５】
次に、上述のように構成されたミキサー用コップＡをジューススタンドやコンビニエンスストア等で使用する場合を説明する。先ず、図４に示すように、ミキサー用コップＡに、予め客の要望のありそうな果物や野菜の材料を入れたものを何種類が準備してキャップＢを被せて、カウンターや陳列棚に展示しておく。そして、客の好みのミキサー用コップＡを選択してもらう。
【００１６】
次いで、店員は客の指定したミキサー用コップＡを取り出して専用のジュースミキサー１０にかけるものである。店員は、図５に示すように、選択されたミキサー用コップＡをジュースミキサー１０のカップホルダ１１に入れ、カップユニット１２を回してミキサー用コップＡの位置を回転刃１３の下のスタート位置にセットする。
【００１７】
次いで、スタートボタン１４を押してジュースミキサ１０を動作させる。すると、上下動ユニット１７が作動して、回転刃１３がミキサー用コップＡの中に位置するようにカップユニット１２を上昇させる。そして、回転刃１３が回転し、カップ内の材料を回転刃１３で粉砕し、攪拌混合して生ジュースを製造する。この間の時間は予め設定されたタイマによって行われる。生ジュースができ上がると、店員は、ミキサ用コップＡをカップホルダ１１から取り出し、客の好みに応じて氷等を入れ客に渡す。
【００１８】
さらに、店員は、フレッシュジュース製造後に、カップユニット１２を回して洗浄カップ１５を回転刃１３の下に位置させ、洗浄スタートボタンを押す。すると、上下動ユニット１７が作動して上方に移動し、回転刃１３が洗浄カップ１５の中に位置するようにカップユニット１２を上昇させる。そして、洗浄水供給ユニット１６が自動的に作動してオゾン水が洗浄カップ１５に供給されると、回転駆動ユニットが作動して回転刃１３を回転駆動させ、自動的に洗浄する。
【００１９】
上述べた実施の形態によれば、本発明のミキサー用コップＡは、予め一人分の材料を１カップに入れて準備しておけば、客の要望に即座に応じることができるので、客を待たせることがなくなる。
また、様々な種類の材料を予め用意しておくことができるので、多様な客の好みに応じることもできる。
【００２０】
また、コップはそのまま客に渡して使い切り、その後は廃棄するので、洗浄する必要がなく、衛生的であるとともに従来最も手間のかかる部分が不要となったので、大幅な労力の削減と時間の節約ができる。
【００２１】
また、本発明は上述した実施の形態に限定されるものではなく、特許請求の範囲内において様々な態様が可能である。例えば、突起の形状は、山形に限らず円形や鋸歯状等の様々な形状にできることは勿論である。また、使用するジュースミキサーは、ジュースに限らず、ドレッシング等のミキシングにも使用可能なことは勿論である。
【００２２】
【発明の効果】
以上に述べたように本発明は、上部が開口された有底の通常サイズのコップに形成されジュースミキサーと別体で使用されるミキサー用コップであって、胴部の壁に内側に向けて突起が形成されるとともに底面の中央部が盛り上がっている上げ底であることにより、そのままジュースミキサーにかけて生ジュースを作ることのできるという優れた効果を奏するものである。また、使用後のコップを洗浄する必要がないので、従来最も手間のかかる洗浄作業を省くことができるという効果を奏する。さらに、客の多様な好みにも即座に対応できるという効果を奏する。
【図面の簡単な説明】
【図１】  本発明のミキサー用コップを示す斜視図である。
【図２】  図１のミキサー用コップの突起柱を示すＸ−Ｘ拡大断面図である。
【図３】  図１のミキサー用コップを示す一部破断の側面図である。
【図４】  図１のミキサー用コップの使用状態を示す正面図である。
【図５】  図１のミキサー用コップをジュースミキサーで使用している状態を示す斜視図である。
【図６】  従来のジュースミキサー用コップを示す説明図である。
【符号の説明】
Ａ  ミキサー用コップ
Ｂ  キャップ
１  胴部
２  突起柱
４  底面
１０  ジュースミキサー
１１  カップホルダ
１２  カップユニット
１３  回転刃
１４  スタートボタン
１５  洗浄カップ
１６  洗浄水供給ユニット
１７  上下動ユニット
【図１】
0003652224.tif 000002
【図２】
0003652224.tif 000003
【図３】
0003652224.tif 000004
【図４】
0003652224.tif 000005
【図５】
0003652224.tif 000006
【図６】
0003652224.tif 000007